(57)【特許請求の範囲】
【請求項１】
基材の両面に光沢が生成された感熱コーティングを備え、
紙を含む材料からなる前記基材の一方の面の前記感熱コーティングの下に、サブコートが配置され、
前記基材の一方の面は前記サブコートが施されかつカレンダー処理され、前記基材の他方の面はカレンダー処理のみが施され、
前記基材の一方の面の前記感熱コーティング上に、トップコートが施されたスポット、ストリップ又はパターンの印刷領域を有し、
前記印刷領域を示すための検知マークが、前記基材の上に施されたことを特徴とする両面感熱紙。
【請求項２】
前記感熱コーティングが、顕色剤、感光剤および染料を含み、熱の伝達によって変色する、請求項１に記載の両面感熱紙。
【請求項３】
前記基材の各面の前記感熱コーティングが、互いに異なる感熱性を有する、請求項１に記載の両面感熱紙。
【請求項４】
前記基材の各面の前記感熱コーティングが、互いに異なる化学組成を有する、請求項１に記載の両面感熱紙。
【請求項５】
前記基材の片面又は両面の前記感熱コーティングが感光剤を含む、請求項１に記載の両面感熱紙。
【請求項６】
前記基材の片面又は両面の前記感熱コーティングが、単色の印刷を実行可能にする、請求項１に記載の両面感熱紙。
【請求項７】
前記基材の片面又は両面の前記感熱コーティングが、多色印刷を実行可能にする複数の感熱染料を有する、請求項１に記載の両面感熱紙。
【請求項８】
前記感熱コーティングが、単一又は複数の層内に前記複数の感熱染料を有する、請求項７に記載の両面感熱紙。
【発明の詳細な説明】
【技術分野】
【０００１】
本発明は、両面感熱紙に関する。
【背景技術】
【０００２】
取引文書またはレシートの２重または両面直接熱印刷については、米国特許第６，７８４，９０６号公報および第６，７５９，３６６号公報に記載されている。プリンタは、プリンタを通るフィード・パスに沿って移動するシート媒体の両面に印刷することができるように構成される。こうしたプリンタでは、ダイレクト・サーマル・プリント・ヘッドが媒体フィード・パスの各面に配置される。サーマル・プリント・ヘッドは、プリント・ヘッドからのフィード・パスを横切る対向プラテンと向かい合う。
【０００３】
直接熱印刷では、プリント・ヘッドは、紙、または感熱コーティングが施された基材を含む他のシート媒体に選択的に熱を加える。コーティングは熱が伝達されると変色し、これによってコーティングされた基材に「印刷」が行われる。両面直接熱印刷の場合、シート媒体基材は両面をコーティングすることができる。
【０００４】
２重または両面直接熱印刷について、材料を節約するため、および顧客に情報を提供する際の柔軟性を与えるために、紙のレシートの両面に可変情報を提供することに関して記載されている。印刷は、電子的に、または、両面印刷を指示するコンピュータ・アプリケーション・プログラムを使用するコンピュータによって実行することが可能であった。
【特許文献１】米国特許第６，７８４，９０６号公報
【特許文献２】米国特許第６，７５９，３６６号公報
【特許文献３】米国特許第６，８０３，３４４号公報
【特許文献４】米国特許第６，９０６，７３５号公報
【発明の開示】
【発明が解決しようとする課題】
【０００５】
様々な用途に対する両面直接熱印刷の一般的な望ましさを考えると、適格な両面直接熱画像形成媒体または用紙が求められている。
【課題を解決するための手段】
【０００６】
本発明は、基材の両面につや出し処理が施された感熱コーティングを備え、前記基材の一方の面の前記感熱コーティングの下に当該一方の面の基材の組成が紙を含むサブコートが配置され、前記一方の面は前記基材の他方の面よりも高い平滑度を有し、前記基材の一方の面の前記感熱コーティング上に、他の場所とは異なる仕上げが施されたスポット、ストリップ又はパターンの印刷領域を有し、前記印刷領域を示すための検知マークが、前記感熱コーティングの上又は前記基体と前記感熱コーティングとの間に施されたことを特徴とする両面感熱紙を提供するものである。
【０００７】
本発明の代替の特徴、利点、および変形については、以下の説明ならびに添付の図面および特許請求の範囲によって例を挙げて説明する。
【発明を実施するための最良の形態】
【０００８】
例えば、本発明の種々の実施形態について、含まれる図面を参照しながら以下の資料で説明する。変形が適合可能である。
【０００９】
直接熱印刷および関連する媒体の製造に適用可能な背景資料および一般的な特徴については、米国特許第６，８０３，３４４号公報（特許文献３）に記載されており、その開示は、参照により本明細書に組み込むものとする。
【００１０】
図１は、発行時に取引レシートまたはチケットの両面シングルパス印刷に使用可能な両面画像形成ダイレクト・サーマル・プリンタ１０を示す概略図である。プリンタ１０は、米国特許第６，７８４，９０６号公報（特許文献１）および第６，７５９，３６６号公報（特許文献２）に記載されているような、例えば、感熱性染料で各面がコーティングされたセルロース・ベースまたはポリマーの基材シートを含む両面感熱紙である印刷媒体２０上で動作する。多色印刷が望ましい面で異なる温度に対する感度を有する２つ以上の染料を使用することにより、レシートの両面に多色印刷機能が提供される。基材および直接熱印刷媒体に対する感熱変色コーティングは、通常、当業者であれば周知のものである。両面直接熱印刷は、媒体２０の対向面に異なる温度に感応する染料を含む媒体２０によって、または、媒体２０の片面の熱印刷が媒体２０の対向面の着色に影響しないように耐熱性のある基材を使用することによって容易に行うことができる。
【００１１】
図１に示されるように、プリンタ１０は、レシートまたはチケット媒体２０の対向面に、回転プラテン３０および４０と、対向するサーマル・プリント・ヘッド５０および６０とを有する。媒体２０の両面直接熱印刷は、取引時に、あるいはレシートまたはチケットの発行時に、シングルパスで実行される。媒体２０は、通常、印刷完了時に、個々のレシートまたはチケット文書を提供するために切断または切り離すことができる。
【００１２】
図２Ａは、レシート８０の表面に印刷された発行者識別、時間、日付、ライン・アイテム・エントリ、および取引合計金額などの取引の詳細７０を示す。図２Ｂは、例えば、レシート８０の裏面に印刷された、取引時に確認された受領者識別または取引の詳細に基づく顧客情報９０を示す。例えば、顧客情報９０は、別のまたは複製の取引情報、図に示されたようなクーポン、割引またはコンテスト情報、連載漫画、販売条件、文書画像、広告、セキュリティ機能、チケット情報、あるいは、例えば、受領者識別または取引のデータまたは詳細に基づく顧客情報などの他の情報を含むことができる。
【００１３】
例示としての媒体２０は、一般的な両面直接熱印刷用途のための不透明な基材および各面の感熱コーティングを備える。基材またはベース・シートは、例えば、不透明な紙などのセルロース（天然）繊維、およびポリエステル（合成）繊維などの合成または天然の繊維から導出された材料を含む従来の直接熱印刷用途で使用される材料を含むことができる。基材は、例えば、カプトン、ポリエチレン、またはポリエステル・ポリマーなどの材料を使用して押出成形されたプラスチック・フィルムなどのプラスチックを含むこともできる。熱画像形成を向上させるために媒体２０の各面上に７５Ｂｅｋｋ以上の平滑度を生成するために、カレンダー処理が施される。仕上げの平滑度および直接熱印刷の品質を上げるために、例えば、主に炭酸カルシウムまたは粘土のサブコートまたはベースコート、および例えば、ラテックス・ベースのバインダなどのバインダ材料を紙の基材上に提供することができる。サブコートがない場合、感熱コーティングを施す前のベース・ペーパのカレンダー処理によって達成される典型的な平滑度は、７５〜１５０Ｂｅｋｋの範囲内となる。サブコートおよびカレンダー処理を使用した場合の典型的な仕上げの平滑度は、２５０Ｂｅｋｋ以上である。例えば、バーコード印刷用などのより高品質の熱画像形成特徴を与えるためには、最低でも３００Ｂｅｋｋの仕上げ平滑度を使用すべきである。これが使用された場合の一般的なサブコート重量は、片面または両面につき、約１〜１０ポンド（約４５３．６〜４５３６ｇ）／３３００ＳＦＲ（平方フィート連（ｒｅａｍ））、好ましくは、片面または両面につき２〜５ポンド（約９０７．２〜２２６８ｇ）／３３００ＳＦＲである。
【００１４】
媒体２０の各面に平滑さを提供するためのカレンダー処理は、１つまたは複数のパス動作において、例えば、オンラインまたはオフラインのソフトまたはソフト・ニップのカレンダー処理またはスーパーカレンダー処理を含むことができる。通常、紙製造ラインからオフラインで実行されるスーパーカレンダー処理は、チルド鋳鉄ロールおよび繊維カバー・ロールの交互のスタックを使用して実行することができる。繊維カバー・ロールは、例えば、未コーティングの紙を処理するために高圧縮ペーパでカバーするか、または、コーティングされた紙を処理するために高圧縮綿でカバーすることができる。ソフト・カレンダーでは、例えば、インライン・プロセスで、合成物カバー・クラウン・ロールを加熱された金属ロールと突き合わせて、所望のシート表面の仕上げおよび光沢を生成することができる。１つのパスで媒体２０の両面をカレンダー処理するために、２つ以上のロール・スタックを使用することができる。
【００１５】
両面直接熱印刷用の媒体２０の両面のカレンダー処理には、所与の用途に必要な印刷品質を達成するために所望の平滑度を提供するという利点がある。媒体２０が平滑であるほど、プリント・ヘッドの磨耗、ならびに付随する媒体２０の摩滅が少なくなる。また、媒体２０のカレンダー処理されたサブコート表面は、基材と感熱コーティング成分との相互作用を最小限にする。
【００１６】
感熱コーティングは、例えば、両面直接熱印刷の用途では、特に、媒体２０に不透明な紙の基材を使用する場合、好ましくは染料顕色タイプである。こうしたコーティングは、通常、顕色剤、オプションの感光剤、および発色剤または例えば、ロイコ染料などの染料を含み、熱の伝達によって変色する。例えば、染料顕色タイプまたは染料昇華タイプの様々な感熱コーティングを、例えば、プラスチック基材材料と共に使用することができる。例えば、サブコートが使用されている場合、この上に重ねられた染料顕色タイプの感熱コーティングの重量は、一般に、約１〜８ポンド（約４５３．６〜３６２９ｇ）／３３００ＳＦＲ、または、好ましくは約１〜３ポンド（約４５３．６〜１３６１ｇ）／３３００ＳＦＲとなる。サブコートがない場合、通常、感熱層の重量はさらに重くなる。
【００１７】
サブコートは片面または両面で使用可能であり、カレンダー処理または仕上げの平滑さの度合いは、関連する特定の用途のコストおよび要件の考慮事項に従って、媒体２０の各面で同じかまたは異なるものとすることができる。例えば、バーコードの印刷が必要な場合など、片面により高い印刷品質が必要な場合がある。こうした用途では、通常、媒体２０のバーコード印刷側にサブコートおよびカレンダー処理を使用して、３００Ｂｅｋｋ以上の仕上げ平滑度とする必要がある。媒体２０の反対側には、同じ仕上げまたはより安価な仕上げを使用する場合もある。同様に、感熱コーティングの特徴、化学組成、感熱性、およびコストも、両面のそれぞれで同じかまたは異なるものとすることができ、例えば、用途に応じて感光剤を媒体２０の片面または両面で使用することができる。媒体２０の両面で異なる薬品を使用して、異なる環境適合性または特性、あるいは他の所望の製品特徴を提供することができる。
【００１８】
使用されるサブコートは、ここでもコストおよび用途の考慮事項に応じて、各面で同じとするか、または媒体２０の各面で異なる組成または重量を有することができる。例えば、一方の面に任意のインク・ジェット印刷ならびに直接熱印刷が行われる場合、炭酸カルシウム・サブコートが好ましい可能性がある。
【００１９】
媒体２０の各面上の感熱コーティングは、媒体２０の各面に単色印刷を提供することが可能であり、ここで印刷の色は媒体２０の各面で同じかまたは異なる。別の方法として、例えば、米国特許第６，９０６，７３５号公報（特許文献４）で教示されたような、複数の感熱コーティングまたはコーティング内の複数の感熱層を使用して、あるいは、使用可能な印刷カラーの選択が媒体２０の各面で同じかまたは異なる、コーティング層内で複数の染料を使用して、多色直接熱印刷を片面または両面で実施することも可能である。
【００２０】
いくつかの用途では、スポット、ストリップまたはパターン・コーティングの形で、媒体２０の片面または両面に感熱コーティングを提供すること、あるいは、スポット、ストリップまたはパターンの特殊またはより高価な仕上げを片面または両面に提供することが望ましい場合がある。例えば、媒体２０上の特定の場所にバーコードを印刷する場合、仕上げおよび感熱コーティングに不可欠な平滑度は、その場所に限定することができる。バーコード印刷プロセス中にバーコード印刷場所を識別できるようにするために、媒体２０の片面または両面に反復検知マークを添付することができる。いくつかの用途では、この検知マークは、例えば、異なる所期の印刷サイズを可能にするために、媒体２０の対向面上で異なる反復長さを有することができる。
【００２１】
画像保護および環境耐久性のために、媒体２０の片面または両面の感熱コーティング上にトップコートを施すことができる。トップコートは、使用される場合、例えば、バーコード用の追加保護のためのスポット、ストリップまたはパターン・コーティングを含むことができる。特定のトップコート・スポット、ストリップまたはパターンの場所の識別を助けるために、媒体２０に反復検知マークを添付することができる。
【００２２】
ウエブの切り離しまたは折り畳みを一般的または帳票アプリケーションの形で支援するために、例えば、両面に印刷された折り畳み式複数ページ文書を提供するために、媒体２０の切り離しまたは折り畳みが望ましい領域に、ミシン目の繰り返しラインを追加することができる。
【００２３】
媒体２０には、媒体２０の少なくとも片面に、用途要件に応じて、例えば、セキュリティ機能、標準条件の事前印刷、または広告のための、インク、熱印刷、または他の非熱印刷によって事前に印刷された１つまたは複数の領域を提供することができる。事前印刷は、最終画像の色に影響を与える色付きの背景領域を提供することもできる。例えば、赤色の画像感熱紙に黄色のインクを重ねて使用すると、オレンジ色の最終画像カラーを提供することができる。
【００２４】
いくつかの用途では、媒体２０は、例えば、顧客および販売者のレシートを同時に印刷し、販売時に２つの別々のレシート部分に切り離せるように、２枚重ねにした形とするか、または２枚重ねした基材を含むことができる。
【００２５】
一般に媒体２０は、用途または最終使用要件に応じて、好ましくは１．８から７０ミル（約０．０４６から１．７８ミリメートル）の範囲の厚さ、１１から１１５ポンド（約４９９０から５２１６３ｇ）／１３００ＳＦＲの範囲の重量、および８０％を上回る不透明度を有するものと予想することができる。
【００２６】
上記説明は、より広義の発明のいくつかの特定の実施形態または例を提示するものである。本発明は、本明細書では説明されていない多種多様な他の代替方法でも実施される。本発明の多くの他の実施形態または変形も、添付の特許請求の範囲内で実施することができる。
【図面の簡単な説明】
【００２７】
【図１】取引レシートまたはチケットなどの媒体の両面シングルパス印刷に使用可能な両面画像形成ダイレクト・サーマル・プリンタを示す概略図である。
【図２Ａ】表面に取引の詳細が印刷されたレシートを示す図である。
【図２Ｂ】取引時に決定された可変格納情報などの補足情報が裏面に印刷されたレシートを示す図である。
【図１】
0005629059.tif 000002
【図２Ａ】
0005629059.tif 000003
【図２Ｂ】
0005629059.tif 000004